(57)【要約】  【課題】稚魚や幼魚を中心とする魚類が生息するのに好適な穴や隙間から魚体の大きな魚類が生息するのに適した空間を有する人工魚礁を簡単に形成することができる構造とした魚礁用ブロック及び人工魚礁を提供する。  【解決手段】適宜な長さを有する棒状体として形成され、横にする状態で順に上方向に積み重ねて立方体の人工魚礁を形成する魚礁用ブロックであって、上底１１と下底１２が平行な概略台形断面を有してなる構造とした。【選択図】図１
2013013357.tif 000002
【特許請求の範囲】
【請求項１】
適宜な長さを有する棒状体として形成され、横にする状態で順に上方向に積み重ねて立方体の人工礁を形成する魚礁用ブロックにおいて、
上底と下底が平行な概略台形断面を有してなることを特徴といる魚礁用ブロック。
【請求項２】
上記積み重ねの際、互いに重なり合う位置に固定用取付孔を設けてなることを特徴とする請求項１記載の魚礁用ブロック。
【請求項３】
生物誘引物質を混練してなる多孔質のコンクリート材料で形成してなることを特徴とする請求項１または２記載の魚礁用ブロック。
【請求項４】
上底と下底が平行な概略台形断面を有する棒状ブロックを、横にする状態で順に上方向に積み重ねて立方体に形成してなることを特徴とする人工魚礁。
【請求項５】
上記台形の上底と下底を順に当接させ、かつ井桁状または格子状に積み重ねてなることを特徴とする請求項４記載の人工魚礁。
【請求項６】
上記台形の上底と下底を交互に当接させて順に積み重ねるようにして、横方向に配列してなることを特徴とする請求項４記載の人工魚礁。
【請求項７】
上記台形の上底同士と下底同士を交互に当接させて順に積み重ねるようにして、横方向に配列してなることを特徴とする請求項４記載の人工魚礁。
【請求項８】
上記積み重ねの際、互いに重なり合う位置に固定用取付孔を設けてなることを特徴とする請求項４，５，６または７記載の人工魚礁。
【発明の詳細な説明】
【技術分野】
【０００１】
本発明は魚礁用ブロック及び人工魚礁に関するものである。
【背景技術】
【０００２】
今日、魚介類の生息・繁殖に適するように、湖や河川、海等の中(以下、これらを総称して「海中」という)の環境を改善する試みが各地で行われており、その一つとして魚介類の生息場となる人工魚礁を海底に沈設している（例えば、特許文献１参照）。
【０００３】
特許文献１で知られる従来の人工魚礁は、正方形、長方形または円形等の断面を有したコンクリート材料で形成された棒状部材を、井桁状の中空立方体に組み上げて、その四隅を固定してなる構造を有している。
【先行技術文献】
【特許文献】
【０００４】
【特許文献１】特開２００２−１４２６０３号公報。
【発明の概要】
【発明が解決しようとする課題】
【０００５】
上述した特許文献１記載の発明は、正方形、長方形または円形等の断面を有したコンクリート材料で形成された棒状部材を、井桁状の中空立方体に組み上げ、その四隅を固定してなる構造にしているが、魚介類が生息するのに好適な穴や隙間、特に稚魚や幼魚を中心とする魚類の大きさに合った空間が少ないという問題点があった。
【０００６】
そこで、稚魚や幼魚を中心とする魚類が生息するのに好適な穴や隙間から魚体の大きな魚類が生息するのに適した空間を有する人工魚礁を簡単に形成することができる構造とした魚礁用ブロック及び人工魚礁を提供するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、適宜な長さを有する棒状体として形成され、横にする状態で順に上方向に積み重ねて立方体の人工魚礁を形成する魚礁用ブロックにおいて、上底と下底が平行な概略台形断面を有してなる魚礁用ブロックを提供する。
【０００８】
この構成によれば、台形断面を有しているので、魚礁用ブロックを横方向に並べて設置しても、隣同士の側面間には隙間が形成される。したがって、その側面同士の隙間は、小魚や稚魚が大形魚から逃げて隠れる絶好の生息場所となり、他の立方体空間は魚体の大きな魚類等の生息場所となるように、微小な小魚や稚魚から大形魚までの、多様な魚体に対応することができる。
【０００９】
請求項２記載の発明は、請求項１記載の構成において、上記積み重ねの際、互いに重なり合う位置に固定用取付孔を設けてなる魚礁用ブロックを提供する。
【００１０】
この構成によれば、複数の魚礁用ブロックを積み重ねた後、固定部材を各固定用取付孔共通に挿入させて固定すると、各魚礁用ブロック間を一つに簡単に固定することができる。
【００１１】
請求項３記載の発明は、請求項１または２記載の構成において、生物誘引物質を混練してなる多孔質のコンクリート材料で形成してなる魚礁用ブロックを提供する。
【００１２】
この構成によれば、内部の生物誘引物質が表面から徐々ににじみ出て、長期間に亘って魚介類の蝟集・育成効果及び藻の付着・育成効果を維持できる。また、多孔質のコンクリート材料により形成されているので水と接触している表面積が多く確保され、さらにコンクリートブロックの内部に水が染み込みやすく、この染み込んだ水を通して内部の生物誘引物質が表面から徐々ににじみ出ることになるので、コンクリート全体から水中ににじみ出る生物誘引物質の量を多くすることができる。
【００１３】
請求項４記載の発明は、上底と下底が平行な概略台形断面を有する棒状ブロックを、横にする状態で順に上方向に積み重ねて立方体に形成してなる人工魚礁を提供する。
【００１４】
この構成によれば、棒状ブロックが台形断面を有しているので、該魚礁用ブロックを横方向に並べて設置しても、隣同士の側面間には隙間が形成される。したがって、その側面同士の隙間は、小魚や稚魚が大形魚から逃げて隠れる絶好の生息場所となり、他の立方体空間は魚体の大きな魚類等の生息場所となる。
【００１５】
請求項５記載の発明は、請求項４記載の構成において、上記台形の上底と下底を順に当接させ、かつ井桁状または格子状に積み重ねてなる人工魚礁を提供する。
【００１６】
この構成によれば、台形の上底と下底を順に当接させて積み重ねることにより、この積み重ねられた上底と下底との間に隙間が形成され、その隙間を通して立方体空間の内側と外側との流通が図れる。
【００１７】
請求項６記載の発明は、請求項４記載の構成において、上記台形の上底と下底を交互に当接させて順に積み重ねるようにして、横方向に配列してなる人工魚礁を提供する。
【００１８】
この構成によれば、台形の上底と下底を交互に当接させて順に積み重ねるようにして、横方向に配列することにより、横方向における棒状ブロック間に概略三角形断面の空間が形成され、その空間を魚介類の蝟集・育成場所として使用できる。
【００１９】
請求項７記載の発明は、請求項４記載の構成において、上記台形の上底同士と下底同士を交互に当接させて順に積み重ねるようにして、横方向に配列してなる人工魚礁を提供する。
【００２０】
この構成によれば、台形の上底同士と下底同士を交互に当接させて順に積み重ねるようにして、横方向に配列することにより、横方向における棒状ブロック間に概略菱形断面の空間が形成され、その空間を魚介類の蝟集・育成場所として使用できる。
【００２１】
請求項８記載の発明は、請求項４，５，６または７記載の構成において、上記積み重ねの際、互いに重なり合う位置に固定用取付孔を設けてなる人工魚礁を提供する。
【００２２】
この構成によれば、複数の魚礁用ブロックを積み重ねた後、固定部材を各固定用取付孔共通に挿入させて固定すると、各魚礁用ブロック間を一つに簡単に固定することができる。
【発明の効果】
【００２３】
請求項１記載の発明は、微小な小魚や稚魚が隠れる生息場所と大形魚が生息する場所を簡単に形成することができるので、魚が住みやすい絶好の場所を簡単に形成することができる。また、微小な小魚や稚魚が隠れる生息場所を作ることにより、稚魚の生存率を向上させることができる。これにより、水産資源全体の拡大を図ることができる。
【００２４】
請求項２記載の発明は、複数の魚礁用ブロックを積み重ねた後、固定部材により各魚礁用ブロック間を一つに簡単に固定することができるので、人工魚礁を長期にわたって使用することができる。
【００２５】
請求項３記載の発明は、水と接触しているコンクリート表面積を多く確保し、該コンクリートに混練された生物誘引物質が該コンクリート表面から適量ずつ徐々ににじみ出るようにしているので、該生物誘引物が長期間に亘って効率良く徐々に流出し、魚介類の蝟集・育成効果、及び、藻の付着・育成の効果を長期間に亘って維持することができる。
【００２６】
請求項４記載の発明は、微小な小魚や稚魚が隠れる生息場所と大形魚が生息する場所を有する人工魚礁を簡単に形成することができる。また、微小な小魚や稚魚が隠れる生息場所を作ることにより、稚魚の生存率を向上させて漁業資源の底上げを図り、水産資源全体の拡大が可能となる。
【００２７】
請求項５記載の発明は、積み重ねられた棒状ブロックの上底と下底との間に形成された隙間を通して立方体の内側と外側との流通を図ることにより、立方体内における水の活性化が図れ、多様な魚が好んで住み着く好適な環境を作ることができる。
【００２８】
請求項６記載の発明は、積み重ねられた棒状ブロック間に概略三角形断面の空間が形成されるようにしているので、その空間が魚介類の蝟集・育成場所となり、多様な魚が好んで住み着く好適な環境を作ることができる。
【００２９】
請求項７記載の発明は、積み重ねられた棒状ブロック間に概略菱形断面の空間が形成されるようにしているので、その空間が魚介類の蝟集・育成場所となり、多様な魚が好んで住み着く好適な環境を作ることができる。
【００３０】
請求項８記載の発明は、複数の魚礁用ブロックを積み重ねた後、固定部材により各魚礁用ブロック間を一つに簡単に固定することができるので、人工魚礁を長期にわたって使用することができる。
【図面の簡単な説明】
【００３１】
【図１】本発明の第１実施形態に係る魚礁用ブロックの基本形状を示す斜視図。
【図２】図１のＡ−Ａ断面図。
【図３】同上第１実施形態における魚礁用ブロックの基本使用例を説明する断面図で、(ａ)は積み重ね前の状態の説明図、(ｂ)は積み重ね後の状態の説明図。
【図４】同上魚礁用ブロックの上底と下底を順に当接させて格子状に積み重ねてなる人工魚礁の基本形状を示す斜視図。
【図５】同上魚礁用ブロックの上底と下底を当接させて積み重ね、かつ横方向に配列してなる人工魚礁の基本形状を示す斜視図。
【図６】同上魚礁用ブロックの上底同士と下底同士を交互に当接させて順に積み重ね、かつ横方向に配列してなる人工魚礁の基本形状を示す斜視図。
【図７】本発明の第２実施形態に係る魚礁用ブロックの基本形状を示す平面図。
【図８】図７のＢ−Ｂ方向より見た側面図。
【図９】図７のＣ−Ｃ方向より見た側面図。
【図１０】同上第２実施形態における魚礁用ブロックの基本使用例を説明する図。
【図１１】図１０のＤ−Ｄ断面図。
【図１２】同上第２実施形態における魚礁用ブロックの他の基本使用例を説明する図で、(ａ)は１段目の魚礁ブロックを並置した状態図、(ｂ)は１段目の魚礁ブロックの上に２段目の魚礁ブロックを並置した状態図。
【図１３】同上第２実施形態における魚礁用ブロックの固定例を説明する図。
【発明を実施するための最良の形態】
【００３２】
本発明は稚魚や幼魚を中心とする魚類が生息するのに好適な穴や隙間から魚体の大きな魚類が生息するのに適した空間を有する人工魚礁を簡単に形成することができる構造とした魚礁用ブロック及び人工魚礁を提供するという目的を達成するために、適宜な長さを有する棒状体として形成され、横にする状態で順に上方向に積み重ねて立方体の人工魚礁を形成する魚礁用ブロックにおいて、上底と下底が平行な概略台形断面を有してなる魚礁用ブロックとしたことにより実現した。
【００３３】
以下、本発明の実施形態による魚礁用ブロックについて図面を参照して詳細に説明する。
【実施例】
【００３４】
図１及び図２は本発明に係る魚礁用ブロックの第１実施形態を示すもので、図１はその外観斜視図、図２は図１のＡ−Ａ断面図である。
【００３５】
同図において、魚礁ブロック１０は、適宜な長さを有する棒状体であり、また断面は上底１１と下底１２が互いに平行をなす概略台形として形成されている。該魚礁ブロック１０は、例えば型枠(図示せず)にコンクリート材を流し込んで成形される。さらに、その成形時、上下に貫通してなる固定用取付孔１３が、適宜の間隔を有して複数の位置(本例では３つの位置)に設けられる。
【００３６】
なお、前記魚礁ブロック１０の成形に際しては、砂利、セメント、水からなる基準混練物(以下、「生コンクリート」という)を混練する時、生コンクリート内に例えば生物誘引物質としてアミノ酸が該生コンクリートの対セメント重量比で１〜１０％添加される。そして、該アミノ酸が混練された生コンクリートを前記型枠に流し込んで固化させることにより、前記所定の形状に成形する。
【００３７】
さらに、アミノ酸が混練された生コンクリートでは、該生コンクリートが固まるまでの少しの間、該アミノ酸が生コンクリートの粘り気を緩くする。これにより該生コンクリートが型枠の隅々まで入り易くなり、成形を容易にする。一方、固まった後はコンクリート表面及び内部に多孔状の透きが形成されて多孔質のコンクリートとなり、水に触れる表面積が多くなる。また、水の浸透を容易にし、コンクリート全体からアミノ酸が水中ににじみ出る量を適量にするとともに、水がコンクリートブロックの奥深い内部に染み込んで、該コンクリートブックの奥深い箇所に前記混練により配置されているアミノ酸を外表面側に誘引して水中に流出するようにし、コンクリートブロックの中に残って無駄になるアミノ酸の量を少なくする。
【００３８】
図３は、このように形成された魚礁ブロック１０の基本使用の一例を示すものである。この使用例では、例えば複数個の魚礁用ブロック１０，１０…と複数個の固定部材１４が用意される。
【００３９】
なお、前記固定部材１４は、緊締部材１５とナット１６と連結部材１７と連結桿１８で構成されている。そして、前記魚礁ブロック１０の積み上げ段数に応じて、連結部材１７及び連結桿１８の使用個数を変えるようになっている。
【００４０】
さらに詳述すると、前記緊締部材１５は、水平方向に延びる止片１５ａと該止片１５ａの中央位置から上方に向かって延びる円柱棒状をした連結桿１５ｂを一体に有して概略Ｔ字形に形成されている。また、該連結桿１５ｂの先端部には雄ネジ(図示せず)が刻設されている。前記連結部材１７は、環状の部材であり、内面には前記連結桿１５ｂの雄ネジと螺合可能な雌ネジ(図示せず)が刻設されている。前記連結桿１８は、円柱棒状の部材であり、上下の端部には前記連結部材１７の雌ネジと螺合可能な雄ネジ(図示せず)が刻設されている。前記ナット１６は、前記連結桿１８の雄ネジと螺合可能な雌ネジ(図示せず)が内面に刻設されている。
【００４１】
そして、前記魚礁ブロック１０を所定段数積み上げて人工魚礁を形成し、かつ前記固定部材１４で固定する場合は、図３の(ａ)に示すように、まず一段目の魚礁ブロック１０の固定用取付孔１３に、該魚礁ブロック１０の下底１２側から、緊締部材１５の連結桿１５ｂを前記止片１５ａが該下底１２に当接するまで差し込む。そして、一段目の魚礁ブロック１０の上底１１から突出した連結桿１５ｂの上方に、連結部材１７を介して連結桿１８を継ぎ足し、その第１段目の魚礁ブロック１０の上に、それぞれ連結桿１８に固定用取付孔１３を合わせて第２段目の魚礁ブロック１０、第３段目の魚礁ブロック１０を順に重ねる。また、図３の(ｂ)に示すように必要個数(本例では３段)の魚礁ブロック１０が積み重ねられたら、連結桿１８の上端側の雄ネジにナット１６を締め付けて固定する。この作業を、必要箇所において各々行うと、積み上げられた複数段の魚礁ブロック１０,１０…を１つに固定して人工魚礁を構築することができる。
【００４２】
また、前記魚礁ブロック１０の積み上げ形式としては、例えば図４に示すように井桁式に積み重ねて内部に立方体空間を有する立方体の人工魚礁を作る形式、或いは図５及び図６に示すように複数の魚礁ブロック１０を横方向に配列して立方体の人工魚礁を作る形式等が可能である。
【００４３】
すなわち、図４に示す人工魚礁２１は、井桁式で、かつ各部では１段目の魚礁ブロック１０の上底１１の上に２段目の魚礁ブロック１０の下底１２を当接させて積み重ね、さらに該２段目の魚礁ブロック１０の上底１１の上に３段目の魚礁ブロック１０の下底１２を当接させて積み重ね、また、該３段目の魚礁ブロック１０の上底１１の上に４段目の魚礁ブロック１０の下底１２を当接させて積み重ねるようにして順に上方向に積み重ね、内部に立方体空間２２を有する人工魚礁としたものである。そして、この人工魚礁の場合も、図示しないが各魚礁ブロック１０の間は上記固定部材１４により固定して一体化される。
【００４４】
この人工魚礁２１では、１段目の魚礁ブロック１０と３段目の魚礁ブロック１０の間、及び２段目の魚礁ブロック１０と４段目の魚礁ブロック１０の間にそれぞれ前記立方体空間２２へ通じる隙間２３が形成される。この隙間２３は、該人工魚礁２１を海底に沈設した際、該立方体空間２２の内側と外側との流通を図って該立方体空間２２内における水を活性化し、多様な魚が好んで住み着く好適な環境を作ることができる。なお、この人工魚礁２１は井桁状に限ることなく、格子状に形成するようにしてもよい。
【００４５】
図５に示す人工魚礁２４は、複数の魚礁ブロック１０を横方向に配列して人工魚礁を作る形式で、かつ各部では１段目の魚礁ブロック１０の下底１２の上に２段目の魚礁ブロック１０の上底１１を当接させて積み重ね、さらに該２段目の魚礁ブロック１０の下底１２の上に３段目の魚礁ブロック１０の上底１１を当接させて積み重ね、また、該３段目の魚礁ブロック１０の下底１２の上に４段目の魚礁ブロック１０の上底１１を当接させて積み重ねるようにし、これを横方向にも繰り返し配列して人工魚礁としたものである。そして、この人工魚礁２４の場合も、図示しないが上記固定部材１４により固定して一体化される。
【００４６】
この人工魚礁２４では、各段間にそれぞれ概略三角形断面の空洞状をした空間２５が複数個形成される。この空間２５は、該人工魚礁２４を海底に沈設した際、例えば稚魚や幼魚を中心とする魚類が生息するのに好適な魚介類の蝟集・育成場所として使用でき、多様な魚が好んで住み着く好適な環境を作ることができる。
【００４７】
図６に示す人工魚礁２６は、複数の魚礁ブロック１０を横方向に配列して人工魚礁を作る形式で、かつ各部では１段目の魚礁ブロック１０の上底１１の上に２段目の魚礁ブロック１０の上底１１を当接させて積み重ね、さらに該２段目の魚礁ブロック１０の下底１２の上に３段目の魚礁ブロック１０の下底１２を当接させて積み重ね、また、該３段目の魚礁ブロック１０の上底１１の上に４段目の魚礁ブロック１０の上底１１を当接させて積み重ねるようにし、これを横方向にも繰り返し配列して人工魚礁としたものである。そして、この人工魚礁２６の場合も、図示しないが上記固定部材１４により固定して一体化される。
【００４８】
この人工魚礁２６では、１段目の魚礁ブロック１０の横列と２段目の魚礁ブロック１０の横列との間、及び３段目の魚礁ブロック１０の横列と４段目の魚礁ブロック１０の横列との間に、それぞれ概略菱形断面の空洞状をした空間２７が複数個形成される。この空間２７は、該人工魚礁２６を海底に沈設した際、例えば稚魚や幼魚を中心とする魚類が生息するのに好適な魚介類の蝟集・育成場所として使用でき、多様な魚が好んで住み着く好適な環境を作ることができる。
【００４９】
図７乃至図９は本発明に係る魚礁用ブロックの第２実施形態を示すもので、図７はその平面図、図８は図７のＢ−Ｂ方向より見た側面図、図９は図７のＣ−Ｃ方向より見た側面図であり、以下、第１実施形態の魚礁用ブロックと対応する部分には同じ符号を付して説明する。
【００５０】
同図において、この第２実施形態の魚礁用ブロック３０は、適宜な長さを有する棒状体であり、また断面は上底１１と下底１２が互いに平行をなし、かつ左右の側面にそれぞれ前記下底１２からほぼ直角に立ち上がる互いに平行な垂壁３１,３１を設けた概略台形として形成されている。該魚礁ブロック３０も、前記魚礁ブロック１０と同様に、例えば型枠(図示せず)にコンクリート材を流し込んで成形されるもので、その成形時、上下に貫通してなる固定用取付孔１３が適宜の間隔を有して複数の位置(本例では３つの位置)に設けられる。
【００５１】
また、魚礁ブロック３０の成形に際しても、砂利、セメント、水からなる基準混練物(以下、「生コンクリート」という)を混練する時、生コンクリート内に例えば生物誘引物質としてアミノ酸が該生コンクリートの対セメント重量比で１〜１０％添加され、該アミノ酸が混練された生コンクリートを前記型枠に流し込んで固化させ、所定の形状に成形する。
【００５２】
図１０及び図１１は、このように形成された魚礁ブロック３０の基本使用の一例を示すものである。この使用例では、魚礁ブロック３０を井桁式に積み重ねて内部に立方体空間３２を有する人工魚礁３３を形成した場合であり、複数個の魚礁ブロック３０と固定部材３４が用意される。
【００５３】
なお、固定部材３４は、連結桿３５とナット３６で構成されている。さらに詳述すると、連結桿３５は、円柱棒状をなし、上下の端部外周にはそれぞれ雄ネジ(図示せず)が刻設されている。この連結桿３５は、前記魚礁ブロック３０の積み上げ段数に応じた長さのものが用意される。一方、前記ナット３６は、前記連結桿３５の雄ネジと螺合可能な雌ネジ(図示せず)が内面に刻設されている。
【００５４】
そして、前記魚礁ブロック３０を所定段数積み上げて人工魚礁３７を形成し、かつ前記固定部材３４で固定する場合は、図１０に示すように、１段目の魚礁ブロック３０の上底１１の上に２段目の魚礁ブロック３０の下底１２を当接させて井桁状に積み重ねる。また、該２段目の魚礁ブロック３０の上底１１の上に３段目の魚礁ブロック３０の下底１２を当接させて積み重ね、さらに該３段目の魚礁ブロック３０の上底１１の上に４段目の魚礁ブロック３０の下底１２を当接させて積み重ねる。これにより、内部に立方体空間３２を有する人工魚礁３７が形成される。
【００５５】
また、この魚礁ブロック３０は、その後、図１１に示すように前記固定部材３１により固定されて一体化される。すなわち、この固定では、１段目〜４段目までの魚礁ブロック３０の固定用取付孔１３を上下方向で対応配置させ、この固定用取付孔１３,１３…共通に連結桿３５を差し込む。その後、一段目の魚礁ブロック３０の下底１２及び四段目の魚礁ブロック３０の上底１１からそれぞれ突出されている連結桿３５の雄ネジにナット３６を螺合させる。この作業を、必要箇所において各々行うと積み上げられた複数段の魚礁ブロック３０,３０…を１つに固定してなる人工魚礁３７が構築される。
【００５６】
図１２は魚礁ブロック３０を使用して他の人工魚礁３８を形成した他の使用例を示すものである。この人工魚礁３８は、同図(ａ),(ｂ)の順に交互に積み重ねて、複数の魚礁ブロック３０,３０…を格子状に積み重ねてなるものである。また、固定を必要とする箇所において、該積み重ねられた複数段の魚礁ブロック３０,３０…を図１３に示すように固定部材１４で固定すると、１つに固定された人工魚礁３８を構築することができる。
【００５７】
なお、本発明は、本発明の精神を逸脱しない限り種々の改変を為すことができ、そして、本発明が該改変されたものに及ぶことは当然である。
【産業上の利用可能性】
【００５８】
本発明は人工魚礁を構築する以外に、擁壁を構築する場合等にも応用できる。
【符号の説明】
【００５９】
１０      魚礁ブロック
１１      上底
１２      下底
１３      固定用取付孔
１４      固定部材
１５      緊締部材
１５ａ    止片
１５ｂ    連結桿
１６      ナット
１７      連結部材
１８      連結桿
２１      人工魚礁
２２      立方体空間
２３      隙間
２４      人工魚礁
２５      空間
２６      人工魚礁
２７      空間
３０      魚礁ブロック
３１      垂壁
３２      立方体空間
３３      人工魚礁
３４      固定部材
３５      連結桿
３６      ナット
３７      人工魚礁
３８      人工魚礁
【図１】
2013013357.tif 000003
【図２】
2013013357.tif 000004
【図３】
2013013357.tif 000005
【図４】
2013013357.tif 000006
【図５】
2013013357.tif 000007
【図６】
2013013357.tif 000008
【図７】
2013013357.tif 000009
【図８】
2013013357.tif 000010
【図９】
2013013357.tif 000011
【図１０】
2013013357.tif 000012
【図１１】
2013013357.tif 000013
【図１２】
2013013357.tif 000014
【図１３】
2013013357.tif 000015